(57)【要約】【課題】製造コストを上昇させることなく、鍵盤蓋の外観を向上させることができる鍵盤楽器の鍵盤蓋装置を提供する。【解決手段】鍵盤蓋４は、演奏部２の前部を開閉するための前鍵盤蓋１１と、前鍵盤蓋１１の後ろ側に配置され、演奏部２の後部を開閉するための後鍵盤蓋１２と、前鍵盤蓋１１と後鍵盤蓋１２との間に、互いに左右方向に間隔を隔てて設けられ、前鍵盤蓋１１および後鍵盤蓋１２を、左右方向に延びる軸線を中心に回動自在に連結する複数のヒンジ１３と、を備えており、前鍵盤蓋１１は、ヒンジ１３により、後鍵盤蓋１２の前端に連なりかつ前方に延びる閉鎖位置と、後鍵盤蓋１２に対して上側に所定角度回動した開放位置との間で回動可能に構成され、複数のヒンジ１３の各々は、鍵盤蓋４の閉鎖状態において、前鍵盤蓋１１および後鍵盤蓋１２の一方の下側に位置するように配置されている。【選択図】    図２
2004151595.tif 000002
【特許請求の範囲】
【請求項１】
鍵盤蓋が回動することにより、楽器本体の鍵盤を含む演奏部を開閉する鍵盤楽器の鍵盤蓋装置であって、
前記鍵盤蓋は、前記演奏部の前部を開閉するための前鍵盤蓋と、
この前鍵盤蓋の後ろ側に配置され、前記演奏部の後部を開閉するための後鍵盤蓋と、
前記前鍵盤蓋と前記後鍵盤蓋との間に、互いに左右方向に間隔を隔てて設けられ、当該前鍵盤蓋および当該後鍵盤蓋を、左右方向に延びる軸線を中心に回動自在に連結する複数のヒンジと、
を備えており、
前記前鍵盤蓋は、前記ヒンジにより、前記後鍵盤蓋の前端に連なりかつ前方に延びる閉鎖位置と、前記後鍵盤蓋に対して上側に所定角度回動した開放位置との間で回動可能に構成され、
前記複数のヒンジの各々は、前記鍵盤蓋の閉鎖状態において、前記前鍵盤蓋および前記後鍵盤蓋の一方の下側に位置するように配置されていることを特徴とする鍵盤楽器の鍵盤蓋装置。
【請求項２】
前記前鍵盤蓋および前記後鍵盤蓋の他方は、前記鍵盤蓋の閉鎖状態において、前記複数のヒンジを覆うための覆い部を有し、
この覆い部は、前記前鍵盤蓋が回動する際に前記一方の前記他方側の先端が回り込むような円弧状の凹部を有していることを特徴とする請求項１に記載の鍵盤楽器の鍵盤蓋装置。
【発明の詳細な説明】
【０００１】
【発明の属する技術分野】
本発明は、例えば電子オルガンなどの鍵盤楽器に適用され、鍵盤を含む演奏部を開閉する鍵盤楽器の鍵盤蓋装置に関する。
【０００２】
【従来の技術】
従来、この種の鍵盤楽器の鍵盤蓋装置として、鍵盤蓋が前後２枚で構成されるとともに、それらが一体に回動しながら演奏部を開閉するものが知られている（例えば、特許文献１参照。）。図５は、従来の鍵盤蓋装置を適用した電子オルガンの上部を示す側断面図である。同図に示すように、この電子オルガン４１は、演奏部４２を有する楽器本体４３と、これに回動自在に取り付けられ、演奏部４２を開閉する鍵盤蓋４４とを備えている。楽器本体４３は、互いに左右方向に所定間隔を隔て、前後方向（図５の左右方向）に延びる腕木４５、４５（図５では１つのみ図示）を有しており、これらの腕木４５、４５間に演奏部４２が設けられている。演奏部４２は、前後にそれぞれ、鍵盤および操作パネル（いずれも図示せず）を有しており、これらの鍵盤および操作パネルが、楽器本体４３の上部の外殻を構成する楽器本体上部ケース４６上に設けられている。この楽器本体上部ケース４６は、腕木４５、４５間で左右方向に延びており、鍵盤や操作パネルを支持する斜め後ろ上がりの鍵盤・操作パネル支持部４６ａと、その上端から斜め後ろ下がりに若干延び、さらに後方に向かって水平に延びる譜面受け部４６ｂと、この譜面受け部４６ｂの後端から斜め後ろ下がりに延び、鍵盤蓋４４の開閉時に、その後端部を下方から支持しながら、鍵盤蓋４４を案内する蓋案内部４６ｃとにより、側断面がほぼ山形に形成されている。
【０００３】
また、鍵盤蓋４４は、前鍵盤蓋５１および後鍵盤蓋５２を有しており、これらが、複数のヒンジ５３を介して、互いに回動自在に連結されている。前鍵盤蓋５１は、平面形状が横長矩形状に形成された前鍵盤蓋本体と、この前鍵盤蓋本体の後ろ側縁部に、これに沿って組み付けられた取付アダプタ５４とを有している。各ヒンジ５３は、図６に示すように、左右方向に延びるヒンジピン５５と、これに回動自在に係合したカール状の係合部５６ａを有する２つのヒンジプレート５６、５６とで構成されている。そして、各ヒンジ５３が、互いに間隔を隔てた状態で、前鍵盤蓋５１の後端部と後鍵盤蓋５２の前端部との間に取り付けられている。具体的には、図６に示すように、両ヒンジプレート５６、５６の係合部５６ａ、５６ａの上半部が上方に臨んだ状態で、一方のヒンジプレート５６が、前鍵盤蓋５１の取付アダプタ５４の上部後端面にねじ止めされるとともに、他方のヒンジプレート５６が、後鍵盤蓋５２の前端面にねじ止めされている。
【０００４】
また、図５に示すように、前鍵盤蓋５１の取付アダプタ５４の左右両端部にはそれぞれ、回動軸５７ａを中心に回動自在の左右一対のアーム５７（図５では１つのみ図示）が固定されている。
【０００５】
このように構成された鍵盤蓋装置では、図５に示すように、前鍵盤蓋５１および後鍵盤蓋５２がほぼ一直線に前下がりに傾斜した状態で、楽器本体４３の演奏部４２を覆うように閉鎖する。この閉鎖状態から、前鍵盤蓋５１を後方に回動させると、これに伴い、後鍵盤蓋５２が、楽器本体上部ケース４６の譜面受け部４６ｂおよび蓋案内部４６ｃに摺接しながら後方に移動する。そして、図７に示すように、アーム５７、５７がそれぞれ、図示しないアームストッパに当接すると、前鍵盤蓋５１は、楽器本体上部ケース４６の譜面受け部４６ｂの上方で、後方に若干倒れた状態で起立する一方、後鍵盤蓋５２は、蓋案内部４６ｃの後方で、斜め後ろ下がりに傾斜した状態となる。これにより、楽器本体４３の演奏部４２が開放される。
【０００６】
【特許文献１】
特開２０００−２７６１３０号公報（図２、３）
【０００７】
【発明が解決しようとする課題】
上述した従来の鍵盤蓋装置では、鍵盤蓋４４の閉鎖時に、ヒンジ５３の係合部５６ａ、５６ａの上半部が、前鍵盤蓋５１と後鍵盤蓋５２との隙間から上方に露出しているため、閉鎖時の鍵盤蓋４４の外観を損ねてしまう。また、鍵盤蓋４４上に物を一時的に置いた場合などには、露出したヒンジ５３でその物に傷が付いてしまうおそれがある。
【０００８】
また、前鍵盤蓋５１と後鍵盤蓋５２との間で且つ隣り合うヒンジ５３、５３同士の間には、上方に開口した隙間が生じる。その隙間の大きさは、ヒンジ５３の係合部５６ａの外径と、ヒンジ５３、５３間の距離とによって定まり、比較的大きな隙間が形成されるので、そのような隙間を介して、塵や埃などが鍵盤蓋４４の内部に入りやすいという問題もある。もちろん、前鍵盤蓋５１と後鍵盤蓋５２とを連結するヒンジとして、アコースティックピアノで用いられるような、前後鍵盤蓋５１、５２の左右方向全体にわたって連続する長尺のものを採用することで、鍵盤蓋４４に上記のような隙間が生じないようにすることは可能である。しかし、長尺のヒンジは一般に製造コストが高く、そのようなヒンジを採用すると、その分、鍵盤蓋装置の製造コストが高くなってしまう。
【０００９】
本発明は、以上のような課題を解決するためになされたものであり、製造コストを上昇させることなく、鍵盤蓋の外観を向上させることができる鍵盤楽器の鍵盤蓋装置を提供することを目的とする。
【００１０】
【課題を解決するための手段】
本発明の請求項１に係る鍵盤楽器の鍵盤蓋装置は、鍵盤蓋が回動することにより、楽器本体の鍵盤を含む演奏部を開閉する鍵盤楽器の鍵盤蓋装置であって、鍵盤蓋は、演奏部の前部を開閉するための前鍵盤蓋と、この前鍵盤蓋の後ろ側に配置され、演奏部の後部を開閉するための後鍵盤蓋と、前鍵盤蓋と後鍵盤蓋との間に、互いに左右方向に間隔を隔てて設けられ、前鍵盤蓋および後鍵盤蓋を、左右方向に延びる軸線を中心に回動自在に連結する複数のヒンジと、を備えており、前鍵盤蓋は、ヒンジにより、後鍵盤蓋の前端に連なりかつ前方に延びる閉鎖位置と、後鍵盤蓋に対して上側に所定角度回動した開放位置との間で回動可能に構成され、複数のヒンジの各々は、鍵盤蓋の閉鎖状態において、前鍵盤蓋および後鍵盤蓋の一方の下側に位置するように配置されていることを特徴とする。
【００１１】
この構成によれば、鍵盤蓋が楽器本体の演奏部を閉鎖する閉鎖状態では、前鍵盤蓋は、後鍵盤蓋の前端に連なりかつ前方に延びる閉鎖位置に位置する。この閉鎖状態から、鍵盤蓋を開放する際には、鍵盤蓋全体を回動させながら、前鍵盤蓋を、後鍵盤蓋の上側に所定角度回動した開放位置まで回動させる。このような鍵盤蓋を構成する前鍵盤蓋と後鍵盤蓋とを回動自在に連結する複数のヒンジの各々は、鍵盤蓋の閉鎖状態において、前鍵盤蓋および後鍵盤蓋の一方の下側に配置されているので、ヒンジが外部から見えることがなく、ヒンジが外部に露出する従来に比べて、鍵盤蓋の外観を向上させることができる。また、複数のヒンジで前鍵盤蓋と後鍵盤蓋とを連結するので、前後鍵盤蓋の左右方向全体にわたって連続する長尺のヒンジを採用する場合に比べて、安価なヒンジを採用することができ、その分、鍵盤蓋を低コストで製造することができる。
【００１２】
この場合、前鍵盤蓋および後鍵盤蓋の他方は、鍵盤蓋の閉鎖状態において、複数のヒンジを覆うための覆い部を有し、この覆い部は、前鍵盤蓋が回動する際に一方の他方側の先端が回り込むような円弧状の凹部を有していることが好ましい。
【００１３】
この構成によれば、前鍵盤蓋が回動する際に、前鍵盤蓋および後鍵盤蓋の上記一方の他方側の先端が、上記他方に設けられた覆い部の円弧状の凹部を回り込むように、すなわち凹部を逃げとしながら、前鍵盤蓋を回動させることができるので、前鍵盤蓋の円滑な回動を確保しながら、前鍵盤蓋と後鍵盤蓋との隙間を、小さくすることが可能となる。そうすることにより、その隙間を介しての塵や埃などの侵入を、従来に比べて大幅に低減できるとともに、鍵盤蓋の外観をより一層向上させることができる。
【００１４】
【発明の実施の形態】
以下、図面を参照しながら、本発明の好ましい実施形態を詳細に説明する。図１は、本発明の一実施形態による鍵盤蓋装置を適用した電子オルガン（鍵盤楽器）を示している。同図に示すように、この電子オルガン１は、上部に演奏部２を有するオルガン本体３（楽器本体）と、このオルガン本体３の上部に回動自在に取り付けられ、演奏部２を開閉する鍵盤蓋４とを備えている。オルガン本体３は、互いに左右方向に所定間隔を隔てて設けられ、前後方向に延びる左右一対の腕木５、５を有しており、これらの腕木５、５間に演奏部２が設けられている。
【００１５】
演奏部２は、上下２段の鍵盤６（上鍵盤６ａおよび下鍵盤６ｂ）と、上鍵盤６ａの後方に斜め後ろ上がりの状態で設けられた操作パネル７とを有している。下鍵盤６ｂは、オルガン本体３の前端部に配置される一方、上鍵盤６ａは、下鍵盤６ｂの後方斜め上に配置されている。また、操作パネル７は、多数の各種スイッチ８ａおよび液晶ディスプレイ８ｂなどを有しており、これらがオルガン本体３の上部の外殻を構成するオルガン本体上部ケース９上に配置されている。なお、各種スイッチ８ａが、演奏時に操作されることにより、図示しない音響装置から発生する音の音色やリズムなどが調整される。
【００１６】
オルガン本体上部ケース９は、合成樹脂などからなり、左右の腕木５、５間で左右方向に延びている。このオルガン本体上部ケース９は、図２に示すように、斜め後ろ上がりに延び、鍵盤６や操作パネル７などを支持する鍵盤・操作パネル支持部９ａと、その上端から斜め後ろ下がりに若干延び、さらに後方に所定長さ延びる譜面受け部９ｂと、その後端から斜め後ろ下がりに延び、鍵盤蓋４の開閉時に、その後端部を案内する蓋案内部９ｃとを有している。譜面受け部９ｂは、ほぼ水平な載置部９ｄと、この載置部９ｄと鍵盤・操作パネル支持部９ａとの間に設けられ、斜め後ろ下がりに傾斜した係止部９ｅとで構成されている。この譜面受け部９ｂの載置部９ｄには、図示しない譜面が載置可能であり、係止部９ｅには、譜面の下端部が係止可能である。なお、係止部９ｅには、後方に開口した係止孔９ｆが形成されており、鍵盤蓋４の閉鎖時に、後述する後鍵盤蓋１２の後端部が、その係止孔９ｆに係止されるようになっている。
【００１７】
鍵盤蓋４は、主に演奏部２の鍵盤６を覆う前鍵盤蓋１１と、主に操作パネル７を覆う後鍵盤蓋１２と、これらの前鍵盤蓋１１および後鍵盤蓋１２を、互いに左右方向に延びる軸線を中心に回動自在に連結する複数（例えば４個）のヒンジ１３（１つのみ図示）とを有している。前鍵盤蓋１１は、平面形状が横長矩形状に形成されるとともに、所定の厚さを有するアクリル製の前鍵盤蓋本体２１と、この前鍵盤蓋本体２１の後ろ側縁部に、これに沿って組み付けられた取付アダプタ２２（覆い部）とを有している。この取付アダプタ２２は、所定形状のアルミ押出し形材からなり、後端面が所定の段状に形成されている。
【００１８】
具体的には、図３に示すように、取付アダプタ２２の後端面は、取付アダプタ２２の上面から連なり、後方に凹状に湾曲形成された円弧部２２ａ（凹部）と、その下端から後方に所定長さ延び、後半部が一段高く形成された段部２２ｂと、この段部２２ｂの後端からほぼ直角に下方に所定長さ延びたヒンジ取付部２２ｃと、その下端から後方に若干突出するように形成されたストッパ部２２ｄとで構成されている。なお、段部２２ｂの前半部およびストッパ部２２ｄにはそれぞれ、発泡ウレタンなどからなる所定厚さのクッション２２ｅ、２２ｆが接着されている。
【００１９】
一方、後鍵盤蓋１２は、前鍵盤蓋本体２１と同様に、平面形状が横長矩形状で、前鍵盤蓋本体２１に対し、前後方向の寸法が短くかつ左右方向の寸法が同じに形成された後鍵盤蓋本体２３と、この後鍵盤蓋本体２３の裏面前端部に固定されたヒンジ取付部材２４とを有している。後鍵盤蓋本体２３は、金属板などからなり、前側縁部が折り返されるとともに、左右両縁部が裏面側にほぼ直角に折り曲げ加工されている。また、後鍵盤蓋本体２３の後端部は、図２に示すような鉤状に折り曲げ加工されており、その先端部が、鍵盤蓋４の閉鎖時に、前記オルガン本体上部ケース９の係止孔９ｆに係止されるようになっている。一方、ヒンジ取付部材２４は、所定形状の金属板を折り曲げ加工することなどによって形成したものであり、後鍵盤蓋本体２３の裏面前端部に、より具体的には、後鍵盤蓋本体２３の前端部の折り返し位置よりも若干後ろ側の位置に、下方に凸に固定されている。
【００２０】
以上のような前鍵盤蓋１１と後鍵盤蓋１２とを回動自在に連結する複数のヒンジ１３は、互いに左右方向に適宜間隔を隔てて配置されている。各ヒンジ１３は、図３に示すように、所定長さを有する金属製のヒンジピン３１と、所定形状の金属板からなり、ヒンジピン３１に回動自在に係合するとともに、前鍵盤蓋１１および後鍵盤蓋１２にそれぞれ取り付けられた２つのヒンジプレート３２、３３とを有している。両ヒンジプレート３２、３３の一端部にはそれぞれ、カール状の係合部３２ａ、３３ａが形成されており、これらの係合部３２ａ、３３ａを合致させた状態で、これらにヒンジピン３１が遊挿されることにより、両ヒンジプレート３２、３３がヒンジピン３１を中心に互いに回動できるようになっている。
【００２１】
また、前鍵盤蓋１１に取り付けられたヒンジプレート３２は、前記取付アダプタ２２の後端面、具体的には段部２２ｂの後半部とヒンジ取付部２２ｃに沿うように、Ｌ字状に形成されている。そして、このヒンジプレート３２を段部２２ｂの後半部およびヒンジ取付部２２ｃに接触させた状態で、取付ねじ３４を、ヒンジ取付部２２ｃの後方から、ヒンジプレート３２およびヒンジ取付部２２ｃにねじ込むことによって、ヒンジプレート３２が取付アダプタ２２に取り付けられている。
【００２２】
一方、後鍵盤蓋１２に取り付けられたヒンジプレート３３は、後鍵盤蓋本体２３の裏面前端部およびヒンジ取付部材２４の前半部に沿うように、所定の屈曲形状に形成されている。そして、ヒンジプレート３３をヒンジ取付部材２４の前半部に接触させた状態で、取付ねじ３５を、ヒンジ取付部材２４の下方から、ヒンジプレート３３およびヒンジ取付部材２４にねじ込むことによって、ヒンジプレート３３がヒンジ取付部材２４に取り付けられている。
【００２３】
このように、ヒンジ１３が、前鍵盤蓋１１の取付アダプタ２２と、後鍵盤蓋１２のヒンジ取付部材２４とに取り付けられ、鍵盤蓋４が閉鎖した状態では、図３に示すように、後鍵盤蓋１２の前端が、取付アダプタ２２の円弧部２２ａの上端部付近に、その円弧部２２ａから隙間Ｓだけ隔たって位置している。つまり、ヒンジ１３は、後鍵盤蓋１２の前端部の下側に位置し、その前端部と、前鍵盤蓋１１の取付アダプタ２２とにより、外部から見えないように覆われている。
【００２４】
また、図１および図２に示すように、前鍵盤蓋１１の取付アダプタ２２の左右両端部は、オルガン本体３の上部に、回動軸１４ａを中心に回動自在に取り付けられた左右一対のアーム１４、１４にそれぞれ支持されている。各アーム１４は、金属板などからなり、一部が腕木５とオルガン本体上部ケース９との隙間から外方に臨み、その部分が前鍵盤蓋１１の取付アダプタ２２に固定されている。
【００２５】
このように構成された電子オルガン１では、鍵盤蓋４が閉鎖した状態のときには、図２に示すように、前鍵盤蓋１１が後鍵盤蓋１２とほぼ一直線に前下がりに傾斜した状態（閉鎖位置）となり、オルガン本体３の演奏部２を覆う。この閉鎖状態から、鍵盤蓋４を開放する場合には、前鍵盤蓋１１を持ち上げながら、後方に回動させる。この場合、前鍵盤蓋１１を若干持上げると、後鍵盤蓋１２の後端部が係止孔９ｆから外れ、さらに前鍵盤蓋１１を持ち上げると、後鍵盤蓋１２が譜面受け部９ｂおよび蓋案内部９ｃに摺接しながら後方に移動する。またこの場合、前鍵盤蓋１１の取付アダプタ２２の円弧部２２ａが、後鍵盤蓋１２の前端の逃げとなり、これにより、前鍵盤蓋１１は、後鍵盤蓋１２に対し、ヒンジ１３を介して円滑に回動する。
【００２６】
その後、アーム１４、１４が図示しないアームストッパにそれぞれ当接することにより、図４に示すように、前鍵盤蓋１１は、後鍵盤蓋１２に対して上側に所定角度回動し（開放位置）、オルガン本体上部ケース９の譜面受け部９ｂの上方で、後方に若干倒れた状態で起立する。この場合、上記アームストッパに加えて、取付アダプタ２２の後端部のクッション２２ｆが、譜面受け部９ｂの後端部に上方から当接する。これにより、前鍵盤蓋１１をより一層安定した状態で起立させることができるとともに、譜面受け部９ｂの損傷なども防止することができる。そして、このように後方に傾斜した前鍵盤蓋１１を、譜面立てとして利用することが可能となる。
【００２７】
一方、後鍵盤蓋１２は、図４に示すように、蓋案内部９ｃ上に、これに沿って、斜め後ろ下がりに傾斜した状態となる。また、このような鍵盤蓋４の開放状態において、誤ってあるいはいたずらなどにより、後鍵盤蓋１２の後端部が持ち上げられることで、後鍵盤蓋１２が前鍵盤蓋１１側に回動してしまうことがある。しかし、この場合、後鍵盤蓋１２の前端部は、取付アダプタ２２の段部２２ｂのクッション２２ｅに当たるので、後鍵盤蓋１２の前端部や取付アダプタ２２の損傷などを防止することができる。
【００２８】
以上詳述したように、本実施形態によれば、鍵盤蓋４を構成する前鍵盤蓋１１と後鍵盤蓋１２とを回動自在に連結する複数のヒンジ１３の各々は、鍵盤蓋４の閉鎖状態において、後鍵盤蓋１２の前端部の下側に配置されるとともに、その前端部と前鍵盤蓋１１の取付アダプタ２２とにより、外部から見えないように覆われているので、各ヒンジ１３が外部から見えることがなく、ヒンジが外部に露出する従来に比べて、鍵盤蓋４の外観を向上させることができる。また、複数のヒンジ１３で前鍵盤蓋１１と後鍵盤蓋１２とを連結するので、前後鍵盤蓋１１、１２の左右方向全体にわたって連続する長尺のヒンジを採用する場合に比べて、安価なヒンジを用いることができ、その分、鍵盤蓋４を低コストで製造することができる。また、前鍵盤蓋１１の取付アダプタ２２と後鍵盤蓋１２の前端との隙間Ｓが、極めて小さいので、その隙間Ｓを介しての塵や埃などの侵入を、従来に比べて大幅に低減することができる。
【００２９】
さらに、ヒンジ１３の２つのヒンジプレート３２、３３が、所定形状に屈曲形成されるとともに、所定方向から取付ねじ３４、３５でそれぞれねじ込まれるように構成されているので、前鍵盤蓋１１と後鍵盤蓋１２とをヒンジ１３で連結する際の組立性および修理時の分解性を向上させることができる。
【００３０】
なお、本発明は、説明した上記実施形態に限定されることなく、種々の態様で実施することができる。例えば、実施形態では、ヒンジ１３を後鍵盤蓋１２の前端部の下側に配置したが、本発明はこれに限定されるものではなく、前鍵盤蓋１１と後鍵盤蓋１２との回動が確保されていれば、前鍵盤蓋１１の後端部の下側にヒンジ１３を配置するようにしてもよい。また、実施形態で示した前鍵盤蓋１１、後鍵盤蓋１２およびヒンジ１３の細部の構成などは、あくまで例示であり、本発明の趣旨の範囲内で適宜、変更することができる。
【００３１】
【発明の効果】
以上詳述したように、本発明の鍵盤楽器の鍵盤蓋装置は、製造コストを上昇させることなく、鍵盤蓋の外観を向上させることができるなどの効果を有する。
【図面の簡単な説明】
【図１】本発明の一実施形態による鍵盤蓋装置を適用した電子オルガンを示す斜視図であり、鍵盤蓋（前端部を一部省略）を開放した状態を示す。
【図２】図１の電子オルガンの上部を示す側断面図であり、鍵盤蓋を閉鎖した状態を示す。
【図３】図２の前鍵盤蓋と後鍵盤蓋とを連結するヒンジの周囲を拡大して示す側断面図である。
【図４】図１の電子オルガンの上部を示す側断面図であり、鍵盤蓋を開放した状態を示す。
【図５】従来の鍵盤蓋装置を適用した電子オルガンの上部を示す側断面図であり、鍵盤蓋を閉鎖した状態を示す。
【図６】図５の前鍵盤蓋と後鍵盤蓋とを連結するヒンジの周囲を拡大して示す側断面図である。
【図７】図５の電子オルガンの上部を示す側断面図であり、鍵盤蓋を開放した状態を示す。
【符号の説明】
１  電子オルガン（鍵盤楽器）
２  演奏部
３  オルガン本体（楽器本体）
４  鍵盤蓋
６  鍵盤
１１  前鍵盤蓋
１２  後鍵盤蓋
１３  ヒンジ
１４  アーム
１４ａ  回動軸
２１  前鍵盤蓋本体
２２  取付アダプタ（覆い部）
２２ａ  円弧部（凹部）
２３  後鍵盤蓋本体
２４  ヒンジ取付部材
３１  ヒンジピン
３２、３３  ヒンジプレート
【図１】
2004151595.tif 000003
【図２】
2004151595.tif 000004
【図３】
2004151595.tif 000005
【図４】
2004151595.tif 000006
【図５】
2004151595.tif 000007
【図６】
2004151595.tif 000008
【図７】
2004151595.tif 000009